(57)【要約】  全ての方向に光を放射するよう構成される照明器具モジュール１が開示されている。前記照明器具モジュール１は、各々がＬＥＤ７及び前記ＬＥＤ７の反対側の少なくとも１つの電気端子３、４を持つ複数のセクション５、６を有する。前記セクション５、６は、各セクション５、６の前記電気端子３、４が前記照明器具１内で互いに向き合うように、それらのＬＥＤ７が外を向いている状態で、互いに取り付け可能である。前記セクション５、６は、間隔をおいて配置された関係において、互いに取り付け可能である。照明ネットワークは、複数の照明器具モジュール１を有し、前記照明器具モジュール１は、三次元形状になるよう互いに結合される。
2015508221.tif 000002
【特許請求の範囲】
【請求項１】
全ての方向に光を放射するよう構成される照明器具モジュールであり、各セクションがＬＥＤ及び前記ＬＥＤの反対側の少なくとも１つの電気端子を持つ複数のセクションを有し、前記セクションが、各セクションの前記電気端子が前記照明器具内で互いに向き合うように、それらのＬＥＤが外を向いている状態で、互いに取り付け可能である照明器具モジュールであって、前記セクションが、前記セクションの間に空間を供給し、前記照明器具を支持するための支持部材が様々な方向から前記照明器具内へ延在することを可能にするよう互いに取り付け可能である照明器具モジュール。 
【請求項２】
前記セクションが、各セクションの前記電気端子に電力を供給するための導体が様々な方向から前記照明器具内へ延在することを可能にするよう、間隔をおいて配置された関係において、互いに取り付け可能である請求項１に記載の照明器具モジュール。 
【請求項３】
前記セクションが、各セクションの前記電気端子に制御信号を供給するための導体が様々な方向から前記照明器具内へ延在することを可能にするよう、間隔をおいて配置された関係において、互いに取り付け可能である請求項１に記載の照明器具モジュール。 
【請求項４】
前記導体が、各セクションの前記電気端子に電力及び制御信号を供給する請求項２又は３に記載の照明器具モジュール。 
【請求項５】
背中合わせに配設される２つのセクションを有する請求項１乃至４のいずれかに記載の照明器具モジュール。
【請求項６】
6.    前記セクションが、前記セクションの間に配置される結合リングを受けるよう構成され、前記リングが、ケーブルに取り付けられ、各セクションの前記電気端子と電気接触するよう構成される請求項５に記載の照明器具モジュール。 
【請求項７】
前記ケーブルが、前記リングの周縁部から延在し、前記リングが、前記ケーブルが前記照明器具からあらゆる方向に延在するように、前記セクションの間に配置可能である請求項６に記載の照明器具モジュール。
【請求項８】
前記電力及び／又は制御信号が前記リングを介して前記ＬＥＤに供給されるように、前記結合リングが、前記ケーブルが前記セクションから延在する方向と関係なく各セクション内の電気端子と整列する電気回路を含む請求項７に記載の照明器具モジュール。
【請求項９】
各ケーブルが前記照明器具から異なる方向に延在するような複数のケーブルを前記照明器具に接続するよう前記セクションの間に積み重ねられる関係にある複数の接続リングを有する請求項６乃至８のいずれか一項に記載の照明器具モジュール。
【請求項１０】
前記セクションが、各接続リングの中央を通って延在し、前記又は各接続リングを適所に保持するねじ接続部を介して互いに取り付けられる請求項９に記載の照明器具モジュール。
【請求項１１】
前記セクションが、互いに取り付けられる場合、一緒に、前記照明器具の外面のまわりにチャネルを形成するように構成され、ケーブルの端部に取り付けられる部材が、前記チャネル内に捕らえられる請求項１に記載の照明器具モジュール。 
【請求項１２】
機械的付勢部材が、前記ケーブルに取り付けられ、前記部材を前記チャネルの壁部に対して付勢し、前記部材及び前記チャネルが、前記ケーブルを各セクション内の前記電気端子に電気的に接続するよう構成される請求項１１に記載の照明器具モジュール。 
【請求項１３】
前記ケーブルが、前記セクションの間の前記チャネル内へのスナップフィットを形成するよう構成される請求項１１に記載の照明器具モジュール。 
【請求項１４】
請求項１乃至１３のいずれか一項に記載の照明器具モジュールを複数有する照明ネットワークであって、前記照明器具モジュールが、三次元形状になるよう互いに結合される照明ネットワーク。
【発明の詳細な説明】
【技術分野】
【０００１】
本発明は、ドット・イン・スペース（dot-in-space）照明ネットワークを構築するよう他の照明器具モジュールに接続され得る照明器具モジュールに関する。本発明は、複数の、本発明による照明器具モジュールから形成される照明ネットワークにも関する。
【背景技術】
【０００２】
ドット・イン・スペース照明ネットワークは、各照明器具モジュールが、照明ネットワークを形成する他の照明器具モジュールの各々から遠く離れており、影響されない外観を与えるよう別々の格子においてつり下げられる照明器具モジュールのネットワークを有する。それらは、装飾照明において広く用いられており、ＬＥＤ照明の出現で、ますます普及してきている。それらは、機能的な照明のために、又は装飾的な若しくは芸術的な外観の目的のために、領域を照明するのに用いられ得る。 
【０００３】
一般に、ドット・イン・スペース照明ネットワークのための照明器具は、照明器具モジュールを支持し、ドットのアドレス指定を行うために電力、データ又は電力及びデータを供給する接続棒の端部に配置される。他の例においては、照明器具モジュールは、連続ケーブルにおける様々な箇所に取り付けられ、前記照明器具モジュールは、前記連続ケーブルからつり下げられる。一般的な例は、通常、電力ケーブルに沿って直列又は並列に配設される複数の光源を有するクリスマスツリー照明である。照明器具モジュールの構成は、変更可能ではなく、これらのネットワークは、三次元格子の形成には役に立たない。更に、照明器具モジュールは、ケーブルに沿って順々にしか接続されることができず、故に、配電は、あまり効率的ではない。
【０００４】
２部分照明器具モジュールが、US 7,160,140 B1から知られており、これは、ケーブル上の位置にクランプで固定される。クランプは、照明器具モジュールをケーブルに電気的に及び物理的に接続する。このタイプのネットワークの制約は、照明器具モジュール間の接続が線状である、即ち、それらがケーブルに沿って順々にしか接続されることができないことである。
【発明の概要】
【発明が解決しようとする課題】
【０００５】
複数の照明器具モジュールが、三次元照明ネットワークを形成するよう、容易に、様々な方法で接続及び支持されることができるドット・イン・スペース照明ネットワーク用の柔軟な照明器具モジュールの要求がある。
【課題を解決するための手段】
【０００６】
本発明によれば、全ての方向に光を放射するよう構成される照明器具モジュールであり、各々がＬＥＤ及び反対側の面上の少なくとも１つの電気端子を持つ複数のセクションを有し、前記セクションが、各セクションの前記電気端子が前記照明器具内で互いに向き合うように、それらのＬＥＤが外を向いている状態で、互いに取り付け可能である照明器具モジュールであって、前記セクションが、間隔をおいて配置された関係において、互いに取り付け可能である照明器具モジュールが、提供される。
【０００７】
前記モジュールは、各々がそれら自身の光源を備えるセクションで形成されるので、前記セクションの間を隔てることは、前記モジュールを他のモジュールに機械的に及び／又は電気的に相互接続するための空間を供給する。前記セクションの間の前記空間はまた、ドライバ電子回路及び制御装置のための空間を供給する、又は熱放散を改善する。 
【０００８】
或る実施例においては、前記セクションは、各セクションの前記電気供給端子にＤＣ又はＡＣ電力を供給するための導体が様々な方向から前記照明器具内へ延在することを可能にするよう、間隔をおいて配置された関係において、互いに取り付け可能である。これは、多数の照明器具モジュールが、様々な三次元構造になるよう一緒に接続されることを可能にする。  
【０００９】
前記セクションは、その代わりに、各セクションの前記電気端子に制御信号を供給するための導体が様々な方向から前記照明器具内へ延在することを可能にするよう、間隔をおいて配置された関係において、互いに取り付け可能であってもよい。   
【００１０】
前記導体は、各セクションの前記電気端子にＡＣ又はＤＣ電力及び制御信号を供給してもよい。 
【００１１】
前記セクションはまた、前記照明器具モジュールを支持するための支持部材が様々な方向から前記照明器具モジュール内へ延在することを可能にするよう、間隔をおいて配置された関係において、互いに取り付け可能であり得る。もっと正確に言わば、又はそれに加えて、電力供給ケーブル、剛体棒などの照明器具モジュール支持部材が、前記セクションの間の空間内へ延在し、それによって、多数の照明器具モジュールが様々な三次元構造になるよう一緒に接続されることを可能にするように前記照明器具モジュールに付着する。前記電力供給ケーブルは、前記モジュールを支持するために用いられる剛体棒を通って延在してもよく、又は前記剛体棒の外面に沿って走ってもよい。 
【００１２】
幾つかの実施例においては、前記照明器具モジュールは、背中合わせに配設される２つのセクションを有し得る。この実施例においては、前記セクションは、前記セクションの間に配置される結合リングを受けるよう構成され得る。前記リングは、ケーブルに取り付けられ、各セクションの前記電気端子と電気接触するよう構成される。 
【００１３】
好ましくは、前記ケーブルは、前記リングの周縁部から延在し、前記リングは、前記ケーブルが前記照明器具モジュールからあらゆる方向に延在するように、前記セクションの間に配置可能である。 
【００１４】
前記電力及び／又は制御信号が前記リングを介して前記ＬＥＤに供給されるように、前記結合リングは、前記ケーブルが前記セクションから延在する方向と関係なく各セクション内の電気端子と整列する電気回路を含み得る。これは、前記リングの位置と関係なく前記ＬＥＤに電力及び／又は制御信号を供給することを可能にし、故に、前記ケーブルは、前記照明器具モジュールからあらゆる方向に延在することができる。 
【００１５】
別の実施例においては、前記照明器具モジュールは、各ケーブルが前記照明器具モジュールから異なる方向に延在するような複数のケーブルを前記照明器具モジュールに接続するよう前記セクションの間に積み重ねられる関係にある複数の接続リングを有し得る。
【００１６】
前記セクションは、各リングの中央を通って延在し、前記又は各リングを前記照明器具モジュール内の適所に保持するねじ接続部を介して互いに取り付けられ得る。
【００１７】
他の実施例においては、前記セクションは、互いに取り付けられる場合、一緒に、前記照明器具モジュールの外面のまわりにチャネルを形成するように構成される。その場合、前記チャネル内に捕らえられる部材が、ケーブルの端部に取り付けられ得る。幾つかの実施例においては、前記部材及び前記チャネルは、前記ケーブルを各セクション内の前記電気端子に電気的に接続するよう構成され得る。 
【００１８】
修正実施例においては、機械的付勢部材が、前記ケーブルに取り付けられ、前記部材と前記チャネルとの間の電気接続を維持するよう前記部材を前記チャネルの壁部に対して付勢する。 
【００１９】
他の実施例においては、前記ケーブルは、前記セクションの間の前記チャネル内へのスナップフィットであり得る。 
【００２０】
別の実施例においては、前記照明器具モジュールは、各セクションが、各セクションの前記電気端子に電力及び／又は制御信号を供給するための導体が様々な方向から前記照明器具内へ延在することを可能にするよう、間隔をおいて配置された関係において、互いに取り付け可能である４つのセクションを有する。
【００２１】
各セクションは、各セクションを囲むようそれの関連するＬＥＤの上に延在する透光性カバーを持ち得る。前記カバーは、前記カバーが各セクションに取り付けられている場合に前記照明器具モジュールは形状が実施的に球状になるように、形状が弓状であり得る。 
【００２２】
本発明によれば、複数の照明器具モジュールを有する照明ネットワークも提供される。前記照明器具は、三次元形状になるよう互いに結合される。
【００２３】
前記照明器具モジュールの、多数の他の照明器具モジュールと接続する機能は、前記照明ネットワークを柔軟に構成することを可能にする。前記照明器具モジュールを格子又はクモの巣のデザインで接続することによって、ドット・イン・スペースネットワークが作成され得る。 
【００２４】
ここで、ほんの一例として、好ましい実施例を、添付の図面を参照して、記載する。
【図面の簡単な説明】
【００２５】
【図１ａ】本発明の実施例による照明器具モジュールを複数用いて形成され得る様々なドット・イン・スペースタイプの照明ネットワークの様々な例を示す。
【図１ｂ】本発明の実施例による照明器具モジュールを複数用いて形成され得る様々なドット・イン・スペースタイプの照明ネットワークの様々な例を示す。
【図１ｃ】本発明の実施例による照明器具モジュールを複数用いて形成され得る様々なドット・イン・スペースタイプの照明ネットワークの様々な例を示す。
【図１ｄ】本発明の実施例による照明器具モジュールを複数用いて形成され得る様々なドット・イン・スペースタイプの照明ネットワークの様々な例を示す。
【図１ｅ】本発明の実施例による照明器具モジュールを複数用いて形成され得る様々なドット・イン・スペースタイプの照明ネットワークの様々な例を示す。
【図１ｆ】本発明の実施例による照明器具モジュールを複数用いて形成され得る様々なドット・イン・スペースタイプの照明ネットワークの様々な例を示す。
【図１ｇ】本発明の実施例による照明器具モジュールを複数用いて形成され得る様々なドット・イン・スペースタイプの照明ネットワークの様々な例を示す。
【図１ｈ】本発明の実施例による照明器具モジュールを複数用いて形成され得る様々なドット・イン・スペースタイプの照明ネットワークの様々な例を示す。
【図１ｉ】本発明の実施例による照明器具モジュールを複数用いて形成され得る様々なドット・イン・スペースタイプの照明ネットワークの様々な例を示す。
【図１ｊ】本発明の実施例による照明器具モジュールを複数用いて形成され得る様々なドット・イン・スペースタイプの照明ネットワークの様々な例を示す。
【図２ａ】２セクション照明器具モジュールが２本のケーブル間につり下げられる本発明の第１実施例を示す。
【図２ｂ】２セクション照明器具モジュールが２本のケーブル間につり下げられる本発明の第１実施例を示す。
【図２ｃ】２セクション照明器具モジュールが２本のケーブル間につり下げられる本発明の第１実施例を示す。
【図３ａ】３つのセクションを備える本発明の実施例を示す。
【図３ｂ】３つのセクションを備える本発明の実施例を示す。
【図４ａ】接続ケーブルがセクション間に配置されるリングを有する本発明の他の実施例を示す。
【図４ｂ】接続ケーブルがセクション間に配置されるリングを有する本発明の他の実施例を示す。
【図４ｃ】接続ケーブルがセクション間に配置されるリングを有する本発明の他の実施例を示す。
【図４ｄ】接続ケーブルがセクション間に配置されるリングを有する本発明の他の実施例を示す。
【図４ｅ】接続ケーブルがセクション間に配置されるリングを有する本発明の他の実施例を示す。
【図５ａ】照明器具モジュールに接続ケーブルを取り付けるための様々な実施例を示す。
【図５ｂ】照明器具モジュールに接続ケーブルを取り付けるための様々な実施例を示す。
【図５ｃ】照明器具モジュールに接続ケーブルを取り付けるための様々な実施例を示す。
【図５ｄ】照明器具モジュールに接続ケーブルを取り付けるための様々な実施例を示す。
【図５ｅ】照明器具モジュールに接続ケーブルを取り付けるための様々な実施例を示す。
【図５ｆ】照明器具モジュールに接続ケーブルを取り付けるための様々な実施例を示す。
【図６】多数の面に接続スロットを備える照明器具モジュールを示す。
【発明を実施するための形態】
【００２６】
ドット・イン・スペース照明ネットワークは、好ましくは、照明器具モジュールの各々の間に延在する多数の接続部を持つ。これらの接続部は、照明器具モジュールを支持し、電力及び場合によっては制御信号を供給しなければならない。ドット・イン・スペース照明ネットワークの幾つかの例は、図１ａ乃至１ｊにおいて見ることができ、照明器具モジュール間の様々な接続がどのように様々な機能的な及び装飾的な照明ネットワークを作成し得るかを示している。接続部は、図１ａ乃至１ｊに示されているもののようなカスタム照明ネットワークが作成され得るように、位置決め及び方向に関して最大限の柔軟性を有することが望ましい。
【００２７】
図２ａは、本発明の実施例による照明器具モジュール１の第１実施例を示している。照明器具モジュール１は、照明器具モジュールを支持し、照明器具モジュールに電力を供給する２本のケーブル２の間につり下げられる。 
【００２８】
図２ｂは、図２ａの実施例の断面図を示している。２本のつりケーブル２が、照明器具モジュール１を通り、ケーブル２と、この図面においては紙面に対して垂直に延在する電気端子３、４との間に電気接触がもたらされる。電気接触を維持し、照明器具モジュール１が適切につり下げられるように保つために、これらのケーブル２は、反対方向に引っ張る。これは、達成され得る様々な構成を制限するが、単純なネットワーク構成を提供する。（互いから絶縁されている２つの導体を担持する）ケーブルが１本しかない場合には、照明器具モジュールにおける電気接触に対してケーブルを維持するために、照明器具モジュールの重さがあてにされ得る。   
【００２９】
図２ｃは、図２ａ及び２ｂの実施例の断面端面図を示している。照明器具モジュール１は、間隔をおいて配置された関係にあり、互いに接続される２つのセクション５、６を有する。つりケーブル２は、２つのセクション５、６の間で照明器具モジュール１内へ延在する。各セクション５、６は、ＬＥＤ７と、透光性部分球状ケース８とを有する。電気端子３、４は、電気回路を作成するよう一方のＬＥＤ７から他方のＬＥＤへ延在する。これらのつりケーブル２は、電源（図示せず）に逆に接続され、これらのケーブル２は、ＬＥＤ７を通る電気回路が作成されるように各々の電気端子３、４に接続される。球状ケース８は、光が照明器具モジュール１から実質的に全ての方向により一様に発されることを確実にする。ＬＥＤ７の間の中央領域９は、制御ハードウェアなどの追加の構成要素（図示せず）のための空間、又は熱放散のための領域を供給する。 
【００３０】
図３ａは、セクション１を支持し、電力を供給する３本のケーブル２の間につり下げられる照明器具モジュール１を示している。照明器具モジュール１は、各々がＬＥＤ７及び部分球状透光性ケース８を有する３つのセクション１０、１１、１２を有する。各セクション１０、１１、１２は、従来の器具を用いて残りの２つのセクション１０、１１、１２に着脱自在に取り付けられ、故に、セクション１は、照明ネットワークに組み込まれることができる、又は照明ネットワークから取り除かれることができる。セクション１０、１１、１２間に設けられる領域９は、接続ケーブル２を受ける空間を供給する。各ケーブル２は、セクション１０、１１、１２間の空間を通して入る。照明器具モジュールの中央においては、ＬＥＤ７の後ろで、各ケーブル２が、電気端子１３に接続され、電気端子１３は、小さなワイヤ１４によってＬＥＤ７の各々に接続される。接続ケーブル２は、電力と物理的支持との両方を照明器具モジュール１に供給する。３つのセクション１０、１１、１２は、球状ケースを通して実質的に全ての方向に光を発する球状ボディを一緒に形成する。セクション１は、セクション１から多数の異なる方向に延在するケーブル２によって他のセクションに接続可能である。図面においては、３本のケーブルが、同一平面上にあるように示されている。即ち、それらは、全て、ページの面内にある。しかしながら、これらのケーブルの１本以上がセクションからページの面に対して或る角度に延在してもよいことは理解されるだろう。 
【００３１】
図３ｂは、図３ａのものと同様の実施例を示している。照明器具モジュール１は、３つのセクション１０、１１、１２を有し、それらの間に接続ケーブル２を受ける空間を備える。この場合には、各ケーブル２は、終端され、接点１３において照明器具モジュール１に固定され、故に、照明器具モジュール１は、ケーブル２によってつり下げられ、適所に保たれる。各ケーブル２は、次いで、小さなワイヤ１４又はセクション１内の他の接続部によってＬＥＤ７に適切に接続される。ケーブルの１本以上は、セクション１に取り付けられ、セクション１を支持する中空剛体棒を通って延在してもよい。 
【００３２】
図４ａは、２つのセクション１５、１６を有する照明器具モジュール１の別の実施例の分解図を示しており、第１セクション１５は、セクション１５、１６を一緒に接続するために第２セクション１６の雄ネジ部１８を受けるための雌ねじ部１７を有する。各セクションは、ＬＥＤ７及び半球状透光性ケース８も有する。組み立てたとき、各セクション１５、１６のケース８は、光が実質的に全ての方向に発されるようにさせ、ドット・イン・スペースの効果を与える。 
【００３３】
２つセクション１５、１６の間の領域１９は、接続ケーブル２を取り付けるための空間を供給する。接続ケーブル２の端部２０は、セクション１５、１６の間に配置される接続リング２１を有する。各セクション１５、１６は、電力が前記リング２１を通してＬＥＤに伝送されるように接続リング２１内の導電回路と接触する電気端子２２を有する。セクション１５、１６の間のねじ接続部１７、１８は、セクション１５、１６をそれらの間のリング２１と共に一緒に接続するためにリングの中央開口部を通して係合する。この構成においては、多数の接続リング２１が、積み重ねられる関係においてセクション１５、１６の間に配置されることができ、故に、照明器具モジュール１は、多数の他の照明器具モジュール１に取り付けられ得る。可能な接続数は、セクション１５、１６の間のねじ接続部の長さ、即ち、リング２１を受けるための、セクション１５、１６の間の最大間隔によって、制限される。 
【００３４】
図４ｂは、各リングに埋め込まれている内側電気接点ループ又は回路２３及び外側電気接点ループ２４を有する接続リングの上面図を示している。各ループは、反対の電荷を搬送し、ＬＥＤ７と共に電気回路を形成する。リング２１が積み重ねられる場合、電気接点ループ２３、２４は、セクション１５、１６の間で、位置合わせされ、導電リンクを形成する。図４に示されている実施例は、２つの導電リングを示しているが、制御信号を搬送するために、又は電気的接地を供給するために、より多くの導電リングが取り付けられることもできることは理解されるだろう。内側電気接点ループ２３は、１本の接続ケーブル２にしか接続されず、外側電気接点ループ２４は、接続ケーブル２の全てに接続される。この方法においては、電力は、リング２１の全てを通り、各セクション１５、１６における電気端子２２を通って、ＬＥＤ７に給電するよう伝導される。接続ケーブル２及び接続リング２１の構成は、照明器具モジュール１のネットワークが並列に接続されることを意味する。 
【００３５】
リング２１は、互い及びセクション１５、１６の各々に対して回転されてもよく、故に、電力供給ケーブル２は、電力供給ケーブルと各セクションのＬＥＤとの間の電気接続に影響を及ぼさずに、照明器具モジュール１からあらゆる方向に延在することができることは理解されるだろう。ケーブルは、導電棒を有してもよく、又はケーブルは、照明器具モジュールに取り付けられる導電棒を通ってもよいことは理解されるだろう。
【００３６】
図４ｃは、組み立てた照明器具モジュール１を示しており、接続リング２１を介してＬＥＤ７間に導電リンクが形成されることを示している。
【００３７】
図４ｄは、図４ａ乃至４ｃに示されているものと同様の照明器具モジュール１の実施例であって、接続ケーブル２が、セクション１５、１６の間に配置され、セクションに電気接続を供給する接続リング２１を有する実施例を示している。この実施例においては、接続リング２１が、接続リング２１にヒンジ式に取り付けるヒンジ２５を有し、接続に対して更なる自由度を与える 
【００３８】
図４ｅは、図４ｄの接続リング２１がどのようにセクション１５、１６及びＬＥＤ７に電気接続を供給するかを示している。図４ａ乃至４ｃの実施例にも等しく適用可能であるこの実施例においては、一番上の接続リング及び一番下の接続リングだけが、電流を搬送し、ＬＥＤ７に電気的に接続される。一番上の接続リング及び一番下の接続リングは、反対の電荷を搬送し、セクション１５、１６及びＬＥＤ７は、導電部材２６によって電気的に接続される。一番上の接続リングと一番下の接続リングとの間には、ＬＥＤ７及び導電部材２６を介して、電気回路が形成される。いずれの中間の接続リングも、絶縁体であり、照明器具モジュール１を物理的に支持する働きしかしない。この方法においては、ネットワーク内の照明器具モジュール１は、直列に接続される。 
【００３９】
図５ａは、本発明の別の実施例を示している。照明器具モジュール１は、２つの半球状セクション１５、１６を有し、それらの間に周囲接続トラック(circumferential connecting track)２７を備える。接続トラック２７は、照明器具モジュール１を他の照明器具モジュールに接続する接続ケーブル２を受ける。
【００４０】
図５ｂは、本発明の他の実施例を示している。照明器具モジュール１は、各セクションが、平坦な面２８と、半球状の面２９と、透光性である半球状部内に配置されるＬＥＤ７とを有する２つのセクション１５、１６から形成される。平坦な面２８は、セクションが一緒に接続される場合に照明器具モジュール１が実質的に球状になるようにセクションを互いに接続するために、ねじ接続部又はスナップフィット機構などの接続手段（図示せず）を有する。各平坦な面２８は、外周のまわりに配置され、他方のセクションの方向に突出する突出リップ部３０を更に有する。組み立てたとき、２つのセクション１５、１６の突出リップ部３０は、分離されており、故に、周囲スロット３１を形成する。突出リップ部３０の厚さは、突出リップ部３０の内側の、平坦な面２８の間の空間内に、内部空洞３２が形成されるような厚さである。内部空洞３２は、突出リップ部３０の内面及びセクション１５、１６の平坦な面２８によって境界を付けられる。突出リップ部３０及び内部空洞３２の平坦な面２８は、ＬＥＤ７に電気的に接続され、ＬＥＤ７の間の電気接続を供給するために２つのセクション１５、１６の間に導電部材２６が延在する。 
【００４１】
接続ケーブル２は、周囲スロット３１及び内部空洞３２と係合する接続部を有する。この実施例においては、接続ケーブル２は、絶縁層によって分離され、囲まれている２つの導電部材３４、３５を有する。導電部材３４、３５は、外側絶縁層内のケーブルコアの両側に配置される。接続ケーブル２内の導電部材３４、３５の合計直径は、ケーブル２がスロット３１を通り得るように、周囲スロット３１の幅より小さい。接続部においては、導電部材３４、３５は、長手方向に延在し、各導電部材３４、３５の末端部は、周囲スロット３１の幅より大きく、内部空洞３２の平坦な面２８の間の空間と同程度である直径を持つ留め部３６を有する。 
【００４２】
接続ケーブル２を照明器具モジュール１に結合するために、２つのセクション１５、１６は、留め部３６が内部空洞３２内に配置されるように、少なくとも、留め部３６が周囲スロット３１を通過するのに十分なだけ、分離されなければならない。セクション１５、１６が近づけられるとき、留め部３６は、内部空洞３２内に閉じ込められる。この位置においては、接続ケーブル２の照明器具モジュール１に対する長手方向の動きが制限されるように、外側絶縁層が、セクション１５、１６の外面の近くに配置される。この構成は、照明器具モジュール１を保持する物理的支持を供給する。様々な照明ネットワークを作成することを可能にするよう、照明器具モジュール１の周囲スロット３１のまわりには、幾つかの接続ケーブル２が配置され得る。
【００４３】
内部空洞３２の平坦な面２８及び突出リップ部３０における接触領域を介して、導電部材２６とＬＥＤ７との間の電気接続が形成される。各導電部材３４、３５は、反対の電荷を搬送する。故に、接続ケーブル２の各々が、短絡を防止するよう同じ向きに結合されることが重要である。他の例においては、１本の接続ケーブルしか電流を搬送せず、その他のケーブルは物理的支持のためだけのものである。
【００４４】
図５ｃは、照明器具モジュール１を接続ケーブル２に接続するためのトラック結合部の第２実施例を示している。この実施例は、図５ａの実施例に非常に似ているが、ケーブル２の外側絶縁層と、セクション１５、１６の外面との間に作用するばね３７を更に有する。ばね３７は、リップ部３０の内面に対して導電部材３４、３５の留め部３６を付勢し、電気接続を維持するよう作用する。 
【００４５】
図５ｄは、トラック結合部の他の実施例を示している。図５ａ乃至５ｃの実施例と同様に、照明器具モジュール１の周囲スロット３１が、セクション１５、１６の間に形成される。この実施例においては、導電部材３４、３５の留め部３６は、末端部においてスロット３１の幅より細く、スロットの幅より大きいサイズへ増大し、段３９においてコアのサイズに戻るテーパー端部３８を有する。これは、スナップフィット機構を形成し、留め部３６がスロット３１に押し込まれる場合に、留め部３６がスロット３１を通過することができるように、テーパー３８が２つの導電部材３４、３５を一緒に動かさせる。テーパー３８がスロット３１を通過したら、導電部材３４、３５はそれらの位置に戻り、段３９が、導電部材３４、３５を突出リップ部３０の内面に対して留める。リップ部３０と導電部材３４、３５との間の接触は、電気接点を供給する。前記のものと同様に、２つの導電部材３４、３５は、反対の電荷を搬送し、ＬＥＤは、電気接点に接続され、互いに接続される。照明器具モジュールのセクション１５、１６は、接続ケーブル２を取り付けるためには分離される必要がなく、接続ケーブル２を取り外すためにしか分離される必要はない。 
【００４６】
図５ｅは、トラック結合部の更に別の実施例を示している。この実施例においては、セクション１５、１６は、リップ部を含まず、まっすぐな側部だけを含み、故に、セクションの間の領域はまっすぐなスロット４１である。セクション１５、１６の平坦な面４０の間の距離は、２つのセクション１５、１６の間に配置されるねじ接続部（図示せず）などの接続部を動かすことによって調節可能である。セクション１５、１６の間の空間を規定するセクション１５、１６の平坦な面４０は、ＬＥＤに導電的に接続される。 
【００４７】
接続ケーブル２は、２つの導電部材３４、３５の上の外側絶縁層と、内側絶縁コアとを有する。２つの導電部材は、ケーブル２の両側に配置される。結合部を組み立てるため、セクション１５、１６は、セクションの間に、ケーブル２の端部を受けるための適切な空間を供給するよう、間隔をあけられる。次いで、セクション１５、１６は、互いの方へ閉じられ、ケーブル２をはさみつぶす。これは、外側絶縁層を壊し、セクション１５、１６と導電部材３４、３５との間の電気接点を作成する。このはさむことは、照明器具モジュール１の物理的な位置のためのしっかりとした取り付けも供給する。
【００４８】
図５ｆは、トラック結合部の最後の実施例を示している。前記結合部は、図５ａのものに非常に似ており、照明器具モジュール１は、スロット３１及び内部空洞３２を有し、接続ケーブル２は、内部空洞３２内に留められる留め部３６を有する。セクションの電気接点部４２は、ＬＥＤ７、及び照明器具モジュール１内のＬＥＤ７の間に配置され得る制御装置又は通信セクション（図示せず）などの任意の他の構成要素に接続される多数の電気接点を有する。接続ケーブル２は、留め部３６内に入り、留め部３６の外面上の複数の電気接点に接続される複数の導電部材４３を有する。この方法においては、留め部３６が照明器具モジュール１の内部空洞３２内に配置される場合、留め部３６上の接点がセクション１５、１６上の接点４２と整列する。セクション１５、１６のリップ部３０は、留め部３６が照明器具モジュール１から外れるのを防止する。この構成は、電気接続及び物理接続を供給する。接続ケーブル２を照明器具モジュール１に取り付けるため、及び接続ケーブル２を照明器具モジュール１から取り外すため、セクション１５、１６は、留め部３６がスロット３１を通り向けることを可能にするよう分離されなければならない。
【００４９】
図６は、図５ａ乃至５ｆに記載されているものと同様のスロット結合部４４を備える照明器具モジュール１の３つの図を示している。この実施例においては、スロット４４は、２つの垂直な面において周囲に配置される。これは、照明器具モジュール１が、各々がそれ自身のＬＥＤ７を備える４つのセクション４５、４６、４７、４８を有することを意味する。４つの部分球状ケースが、ＬＥＤ７を覆い、全体的に球状の照明器具モジュールを作成する。この構成は、接続ケーブルが、図１ａ乃至１ｊに示されているもののようなドット・イン・スペースネットワークを達成するよう多くの異なる角度から照明セクション１に取り付けられることを可能にする。 
【００５０】
図１乃至６を参照して記載した実施例のいずれについても、接続ケーブル又は棒は、照明器具モジュールに、ＤＣ電力、ＡＣ電力又は制御目的のためのデータ信号を供給し得ることは、理解されるだろう。必要とされる接続ケーブルの数を減らすために、データ信号供給とＤＣ電力供給とを組み合わせることも可能である。「有する」という用語は、他の要素又はステップを排除せず、単数形表記は、複数性を排除しないことは、理解されるだろう。単に、或る特定の手段が、互いに異なる従属請求項において列挙されているという事実は、これらの手段の組み合わせが有利には用いられることができないことを示すものではない。請求項における如何なる参照符号も、請求項の範囲を限定するものとして解釈されるべきではない。
【００５１】
本願においては、請求項は、特徴の特定の組み合わせに合わせて作成されているが、本発明の開示の範囲は、現在いずれの請求項に記載の発明と同じ発明に関するか否かを問わず、本発明と同じ技術的問題のいずれか又は全てを緩和するか否かを問わず、明示的に又は暗に本願明細書に開示されているあらゆる新規な特徴又はあらゆる新規な特徴の組み合わせ、又はあらゆるそれらの一般化も含むことは、理解されるべきである。これによって、本願出願人は、本願又は本願から派生した任意の他の出願の中間処理中に、このような特徴及び／又は特徴の組み合わせに合わせて新たな請求項が作成され得ることを通知する。
【００５２】
以下の請求項の範囲内にある他の修正例及び変形例は、当業者には明らかであるだろう。
【図１ａｔｏ１ｊ】
2015508221.tif 000003
【図２ａ】
2015508221.tif 000004
【図２ｂ】
2015508221.tif 000005
【図２ｃ】
2015508221.tif 000006
【図３ａ】
2015508221.tif 000007
【図３ｂ】
2015508221.tif 000008
【図４ａ】
2015508221.tif 000009
【図４ｂ】
2015508221.tif 000010
【図４ｃ】
2015508221.tif 000011
【図４ｄ】
2015508221.tif 000012
【図４ｅ】
2015508221.tif 000013
【図５ａ】
2015508221.tif 000014
【図５ｂ】
2015508221.tif 000015
【図５ｃ】
2015508221.tif 000016
【図５ｄ】
2015508221.tif 000017
【図５ｅ】
2015508221.tif 000018
【図５ｆ】
2015508221.tif 000019
【図６】
2015508221.tif 000020
【国際調査報告】
2015508221.tif 000021
2015508221.tif 000022